(57)【要約】  【課題】釘打ち機等の打ち込み工具において、ファスナーの打ち込み深さ調節の容易性を損なうことなく、ファスナーの空中発射を困難ならしめる。  【手段】打ち込み工具は、ワークに当たると後退するプローブ１７を備えており、プローブ１７が後退すると中間部材５１が後退して安全装置のロックが解除される。プローブ１７の後端部には第１ダイアル５０がねじ込まれており、第１ダイアル５０の回転によってプローブ１７と中間部材５１との相対的な前後位置関係が変化して打ち込み深さが変わる。第１ダイアル５０には第２ダイアル５２が噛み合っている。両ダイアル５０，５２はカバー８で覆われており、カバー８の穴５４を介して第２ダイアル５２のみを回転操作できる。【選択図】          図９
2007061981.tif 000002
【特許請求の範囲】
【請求項１】
ファスナーをワークに打ち込むロッドを駆動するピストンが内蔵された本体と、前記ファスナー及びロッドの前進動をガイドする部分を有するヘッド部と、後退位置にあるロッドの前方にファスナーを１本ずつ供給するファスナ供給部と、先端をワークに押しつけると後退動して前記ロッドの前進動を可能ならしめるプローブとが備えられており、プローブの後退可能量を調節することによってファスナーの打ち込み深さを調節できるようになっており、更に、前記プローブは人が指又は器具で後退させることができないように防護手段で覆われている打ち込み工具であって、
前記防護手段又は他の防護手段で覆われた内部に、前記プローブと一緒に前後動すると共に回転するとプローブの後退可能量を変化させる第１ダイアルと、前記第１ダイアルと直接に又は間接的に噛み合った状態を保持しつつ回転のみ可能で前後移動不能な第２ダイアルとを配置しており、第２ダイアルを、当該第２ダイアルのみを外側から回転操作できるように防護手段から部分的に露出させている、
打ち込み工具。
【発明の詳細な説明】
【技術分野】
【０００１】
本願発明は、釘やピン、鋲等のファスナー類を打ち込むための手持ち式打ち込み工具に関するものである。
【背景技術】
【０００２】
釘打ち機やピン打ち機のように一般に広く使用されている打ち込み工具をその駆動源から見ると、圧縮空気を使用したエアー式のものと、ガスの燃焼圧を利用したガス式のものとに分けられる。ガス燃焼式の打ち込み工具はコンプレッサが不要であるため機動性に優れており、また、ホースが接続されていないため作業性も良い利点を有する。エアー式にしてもガス燃焼式にしても、多数の特許文献が存在している（ガス燃焼式の打ち込み工具の一例として特許文献１参照）。
【０００３】
ガス燃焼式の釘打ち機の一例を図１２に示している。図１２のうち（Ａ）は右側面図、（Ｂ）は部分的な左側面図であり、釘打ち機は、シリンダ２が内蔵された本体１と、本体の前部に設けたヘッド部３と、本体１及びヘッド部３に取り付いたマガジン４とを備えており、本体１には、グリップ１ａとトリガー５を設けている。シリンダ２にはピストン６が摺動自在に嵌まっており、ピストン６には、釘ｎを打ち込むためのロッド７が設けられている。釘ｎとロッド７はヘッド部３に案内されて前進動する。
【０００４】
シリンダ２は本体カバー（ハウジング）８で覆われており、シリンダ２の後方に燃焼室９が形成されている。燃焼室９はリアブロック１０によって構成されている一方、シリンダ２の後部にはスリーブ１１が外側から前後摺動可能に嵌まっており、スリーブ１１が後退し切ると燃焼室９が閉じて、燃料ガスが燃焼室に流入するようになっている。リアブロック１０にはファンや点火プラグ（いずれも図示せず）が配置されている。なお、図面ではシリンダ２やリアブロック１０等はごく簡略化して表示している。
【０００５】
本例では、多数本の釘ｎを並列に並べて接着剤で接着したり紙テープで連結することによって全体として帯状の形態を成す連結釘Ｎが形成されており、マガジン４に装填された連結釘Ｎは、定格出力ばねで引っ張られているフォロアー４ａでヘッド部３に向けて押されている。
【０００６】
ヘッド部３は、本体１及びマガジン４に固定された下ブロック１２と、下ブロック１２に上方から重なる上蓋１３とを備えており、上蓋１３は、その後部を中心にして跳ね上げ回動し得るように本体１にピン１４（図12(B) 参照）で連結されており、クリップ装置１６により、閉じた状態に保持される。符号１６ａはヘッドカバーである。
【０００７】
釘打ち機は、釘ｎの空打ち（空中発射）を防止するための安全装置を備えており、トリガー５を引いただけでは釘ｎを発射することはできない。安全装置は、ワークＷに当たって後退するプローブ１７を備えている。プローブ１７の先端はワークＷに当たるノーズ１８になっており、ノーズ１８がワークＷに当たって一定寸法だけ後退すると、安全装置のロックが解除されて、トリガー５を引くとピストン６が前進動する。
【０００８】
プローブ１７の後退動によって安全装置のロックを解除する機構として、本例では、プローブ１７が後退動するとシリンダ２のスリーブ１１が後退して燃焼室９が閉じられると共に、ガスの供給通路を閉じていた弁が開くようになっている。図示していないが、プローブ１７とスリーブ１１とは中間部材を介して連結されている。安全装置のロック解除機構としては、プローブ１７の後退動により、点火プラグに電力を供給する回路が通電するように構成したり、或いは、プローブ１７の後退動により、トリガー５を引き不能に保持していたロック部材をロック解除姿勢に変えたりすることも可能である。
【０００９】
図１２（Ｂ）に示すように、プローブ１７は、下ブロック１２の左側面に沿って下向きに延びてから向きを水平状に変えて後方に延びており、この後ろ向きの水平部にダイアル１９を設け、ダイアル１９の回転によってプローブ１７と中間部材との相対的な前後位置を変えることにより、プローブ１７の後退可能量を調節し、以って、釘ｎの打ち込み深さを調節するようになっている。
【００１０】
すなわち、ノーズ１８の先端がワークＷの表面に当たった状態で釘ｎの打ち込みが行われるが、ロッド７とスリーブ１１と中間部材との前後移動ストロークは一定であるため、プローブ１７の後退可能量が変わると、ノーズ１８の先端とロッド７の先端との相対的な前後位置が変わり、その結果、ワークＷに対するロッド７の前進距離が変化して釘ｎの打ち込み深さが変わるのである。
【００１１】
ダイアル１９は本体カバー８で覆われていて、本体カバー８にダイアル１９を部分的に露出させる窓穴２０が空いている。
【特許文献１】特開２００４−１６７６４９号公報
【発明の開示】
【発明が解決しようとする課題】
【００１２】
本例のようにダイアル１９の回転操作によって釘ｎ等のファスナーの打ち込み深さを調節できる構成によると、ファスナーの打ち込み深さの調節をきわめて簡単に行える利点があり、ファスナーの打ち込み深さを頻繁に変える必要がある場合、きわめて有益である。
【００１３】
他方、ダイアル１９はプローブ１７と一緒に前後移動するため、本体カバー８の窓穴２０に例えばドライバを差し込んでダイアル１９を押して、プローブ１７を後退させてロックを解除することも可能であり、このためファスナーを空中発射できないように安全性を向上させる改善策が要請されていた。特に、ガス燃焼式の打ち込み工具については、我が国では機動性の高さから銃刀法の規制対象になっていて高い安全性をクリアーしないと所持することに警察の許可を要することから、ユーザーが面倒な手続なしで使用するためには高い安全性が要請されている。
【００１４】
本願発明は、打ち込み工具において、ファスナーの打ち込み深さ調節の容易性を損なうことなく、空中発射防止機能を格段に向上させることを課題とするものである。
【課題を解決するための手段】
【００１５】
本願発明の打ち込み工具は、基本的な構成として、ファスナーをワークに打ち込むロッドを駆動するピストンが内蔵された本体と、前記ファスナー及びロッドの前進動をガイドする部分を有するヘッド部と、後退位置にあるロッドの前方にファスナーを１本ずつ供給するファスナ供給部と、先端をワークに押しつけると後退動して前記ロッドの前進動を可能ならしめるプローブとが備えられており、プローブの後退可能量を調節することによってファスナーの打ち込み深さを調節できるようになっており、更に、前記プローブは人が指又は器具で後退させることができないように防護手段で覆われている。
【００１６】
そして、特徴部分として、前記防護手段又は他の防護手段で覆われた内部に、前記プローブと一緒に前後動すると共に回転するとプローブの後退可能量を変化させる第１ダイアルと、前記第１ダイアルと直接に又は間接的に噛み合った状態を保持しつつ回転のみ可能で前後移動不能な第２ダイアルとを配置しており、第２ダイアルを、当該第２ダイアルのみを外側から回転操作できるように防護手段から部分的に露出させている。
【００１７】
本願発明における「防護手段」はプローブを覆う機能を備えているものをすべて含んでおり、従って、防護手段としては、カバー類（シュラウド）やハウジング類には限らず、ロッドのガイド部材のような別の用途を有する部材を防護手段に兼用することも可能である。また、「ダイアル」は互いに噛み合いながら回転し得るものの総称として使用しており、従って、ギア類を初めとしたロータリー式動力伝達機構をすべて含んでいる。
【発明の効果】
【００１８】
本願発明において、防護手段の外側から第２ダイアルを回転操作することにより、ファスナーの打ち込み深さを簡単に調節することができる。そして、人は防護手段に設けた穴からは第２ダイアルしかアクセスすることはできず、第１ダイアルを例えばドライバのような器具で押すことによってプローブを後退させることはできない。
【００１９】
このように、本願発明では、プローブは指又は器具で直接に後退させることもダイアルを介して後退させることもできないため、ファスナーの打ち込み深さ調節の容易性を損なうことなく、空中発射を不能とする安全性を格段に向上することができる。
【発明を実施するための最良の形態】
【００２０】
次に、本願発明の実施形態を図面に基づいて説明する。本実施形態は図１２と同じ釘打ち機に適用しており、基本的な構成は図１２と同じである。このため、図１０と同じ機能を有する部材は同じ符号を引用している。また、「左右」「前後」の表示は作業者と対峙した方向を基準にしている。
【００２１】
(1).概要
まず、図１及び図２に基づいて概要を説明する。図１のうち（Ａ）は非打ち込み状態でのヘッド部３の右側面図、（Ｂ）は打ち込み状態でのヘッド部３の右側面図、図２はヘッド部３を構成する主要部材の分離斜視図である。
【００２２】
ヘッド部３は、マガジン４及び本体１に固定された下ブロック１２と、下ブロック１２に上方から重なる上蓋１３と、上蓋１３と下ブロック１２との間に介在したスライド部１７ａを有するプローブ１７とを備えている。マガジン４はファスナー供給部の一例である。
【００２３】
プローブ１７の大部分は丸棒からなっており、基本的な形態は従来と同じである。すなわち、プローブ１７は、前後方向に平行に延びる左右２本のスライド部１７ａを備えており、左右スライド部１７ａの前端は一体に連続していたこの先端部にゴム製や樹脂製等のノーズ１８を装着している一方、片側（釘打ち機の正面視で左側）に位置したスライド部１７ａの後端に水平外向きの横向き折り曲げ部１７ｂを形成し、更に、横向き折り曲げ部１７ｂに下ブロック１２の外側面に沿って下方に延びる下向き折り曲げ部１７ｃを折り曲げ形成し、更に、下向き折り曲げ部１７ｃの下端には後方に延びる後ろ向き水平部１７ｄを設けている。
【００２４】
ノーズ１８は正面視で上向き開口のコ字状に形成されており、スライド部１７ａの先端は側面視で下向きに傾斜している。他方、プローブ１７のうち後ろ向き水平部１７ｄには雄ねじを形成している。
【００２５】
下ブロック１２は金属製で前後方向に長く延びており、図１（Ａ）に示すように、その後端部が本体１の支持部２２にボルト２３で固定されている。下ブロック１２の上面には、プローブ１７のスライド部１７ａが嵌まる上向き開口で略半円状の下ガイド溝２４が形成されており、先端部には、ノーズ１８が嵌まり込み得る正面視上向き開口コ字状の下シュラウド部１２ａが一体に形成されている。
【００２６】
下ブロック１２には、マガジン４に装填した連結釘Ｎの先頭に位置した釘ｎを１本だけ露出させるための釘ガイド用長穴２６が前後方向に延びるように形成されている。釘ガイド用長穴２６には、釘ｎの頭が抜け出るための広幅部２６ａが複数形成されている。本実施形態では、釘ｎは下ブロック１２の上面に沿って前進動するようになっており、下ブロック１２には、下シュラウド部１２ａの箇所に張り出す庇状のフロントガイド１２ｂが形成されている。
【００２７】
また、下ブロック１２には、プローブ１７のスライド部１７ａの略下半部がスライド自在に嵌まる上向き開口の下ガイド溝２７と、プローブ１７の横向き折り曲げ部１７ｂが前後移動することを許容するための横向き切り開き部２８を形成している。横向き切り開き部２８の前後中途部には、開蓋時にプローブ１７を後退動不能に保持するストッパー２９が配置されている。この点は後述する。
【００２８】
下ブロック１２のうち横向き切り開き部２８の手前側には、上蓋１３を閉じた状態に保持するための鉤部３０が形成されている。鉤部３０はその上部が前向きに突出した形態になっている。
【００２９】
上蓋１３の前端部は上シュラウド部１３ａになっており、上蓋１３の上シュラウド部１３ａと下ブロック１２の下シュラウド部１２ａとが重なり合うことにより、前向きに開口したシュラウド部が構成され、打ち込み時にはノーズ１８の大部分が上下シュラウド部１３ａ，１２ａに入り込むようになっている。上下シュラウド部１３ａ，１２ａは請求項に記載した防護手段の一部を構成するものであり、上下シュラウド部１３ａ，１２ａの存在により、人が指でノーズ１８を摘んでロック位置まで後退させることはできない。
【００３０】
なお、ノーズ１８の先端に指を当てるとプローブ１７を後退させ切ることができるが、かくすると人は釘の打ち出しによって怪我する可能性が極めて高くなる。従って、怪我する危険を冒してまでノーズ１８を後退させることは事実上ないのである。
【００３１】
上下シュラウド部１３ａ，１２ａは互いに嵌まり合っている。このため、上蓋１３と下ブロック１２とは左右ずれ不能に保持されており、また、上下シュラウド部１３ａ，１２ａの間に薄板を差し込んでノーズ１８を後退させることもできない。
【００３２】
(2).上蓋の開閉構造
次に、図３及び図４も参照して上蓋１３の開閉構造を説明する。図３のうち（Ａ）はヘッド部３の平面図、（Ｂ）は上蓋１３の開閉構造を説明するための分離平面図、（Ｃ）は上蓋１３の開閉構造を説明するための分離平面図、図４のうち（Ａ）は図３のIVA-IVA 視断面図、（Ｂ）は釘ｎの打ち込み状態でのヘッド部３の縦断側面図である（図４ではマガジン４は省略している。）。
【００３３】
上蓋１３の後端部には上向きに突出した第１軸受け３２が形成されている一方、本体１を構成する本体カバー８（又は本体ブロック）には、第１軸受け３２の左右外側に位置する固定軸受け３３（図１参照）が形成されており、これら固定軸受け３３と第１軸受け３２とに第１支軸３４を挿通することにより、上蓋１３を起立姿勢まで跳ね上げ回動できるようになっている。
【００３４】
クリップ装置１６は、ばね体３５とリンク３６とレバー３７とを備えている。ばね体３５は板ばね製で下ブロック１２の左右鉤部３０の間に位置するようになっており、その先端には、左右鉤部３０に係脱し得る係止ピン３８を固定している。
【００３５】
リンク３６は、上蓋１３に形成した左右の第２軸受け３９の間に位置する筒体４０の左右両端に後ろ向きの側板４１を固着した形態になっており、筒体４０は第２支軸４２によって上蓋１３の第２軸受け３９に連結されている。レバー３７は左右の側板３７ａを備えており、レバー３７の左右側板３７ａとリンク３６の左右側板４１とばね体３５の後端部とが第３支軸４３によって一体に連結されている。
【００３６】
上蓋１３を閉じた状態で係止ピン３８を下ブロック１２の鉤部３０に前方から嵌め入れて、その状態でレバー３７を後方に倒すと、第１支軸３４が固定軸受け３２で前向き移動不能に保持された状態で係止ピン３８がばね体３５を介して後方に引かれる。また、第３支軸４３が第２支軸４２よりも下方に移動するいわゆる支点超えにより、リンク３６は後方に倒れた状態に保持されて、ばね体３５の弾性力によって閉蓋状態が保持される。レバー３７を手前に倒してリンク３６を手前に倒すと、係止ピン３８は鉤部３０から離脱して上蓋１３を開くことができる。
【００３７】
図８に示すように、上蓋１３の下面には、打ち込みに際して釘ｎとロッド７とを案内する第１ガイド溝４４と、プローブ１７のスライド部１７ａの略上半部がスライド自在に嵌まる下向き開口の第２ガイド溝４５とが形成されている。本実施形態の釘打ち機は仕上げ釘（フィニッシュネイル）用であることから、図８に示すように、ロッド７及び第１ガイド溝４４は断面四角形（長方形）に形成されている。言うまでもないが、ロッド７は円形でも良い。また、第１ガイド溝４４を下ブロック１２のみに形成したり、第１ガイド溝４４を下ブロック１２と上蓋１３とに半分ずつ形成するなどしても良い。
【００３８】
(3).ストッパー・被覆部・打ち込み深さ調節機構
次に、図５以下の図面も参照して、プローブ１７に対するストッパー及び被覆部、並びに釘ｎの打ち込み深さ調節機構を説明する。図５は上蓋１３を省略した状態での平面図、図７は要部の右側面図、図７は本体カバー８を省略した状態での左側面図、図７は図７の VIII-VIII視断面図、図９は図７の IX-IX視断面図である。
【００３９】
既述のとおり、下ブロック１２にはプローブ１７の横向き折り曲げ部１７ｂが前後動することを許容するための横向き切り開き部２８が形成されている。そして、例えば図２や図５に示すように、横向き切り開き部２８のうち、プローブ１７が前進し切った状態で横向き折り曲げ部１７ｂの真後ろに位置する部位にストッパー２９を配置している。
【００４０】
詳細は省略するが、ストッパー２９は、下ブロック１２に形成した穴に上下動自在でかつ抜け不能に嵌め込まれており、ばね（図示せず）で上向きに押されている。そして、ストッパー２９のうちプローブ１７よりも奥側の部位（釘ガイド用長穴２６に寄った部位）に上向きの突起部を形成しており、上蓋１３を閉じた状態ではばねに抗して下向きに押されることにより、プローブ１７の横向き折り曲げ部１７ｂがストッパー２９の後方にスライドすることが許容されている。また、上蓋１３を開くと、ストッパー２９はばねによって上向きに突出し、このためプローブ１７は後退動不能に保持される。
【００４１】
ヘッド部３の左側面の大部分は本体カバー８で覆われているが、図５に一点鎖線で示すと共に図８に実線て示すように、本体カバー８の上端部には、下ブロック１２の横向き切り開き部２８に入り込む被覆部（フランジ部）４９を形成して、被覆部４９によってプローブ１７の横向き折り曲げ部１７ｂを上方から覆っている。言うまでもないが、上蓋１３は被覆部４９と干渉しないように形成されている。
【００４２】
仮に、横向き折り曲げ部１７ｂが外側に露出していると、この横向き折り曲げ部１７ｂをドライバー等の細い物で押すことによって安全装置のロックが解除される可能性があるが、本願発明ではプローブ１７の横向き折り曲げ部１７ｂは開蓋状態においても被覆部４９で覆われているため、横向き折り曲げ部１７ｂを押してロックを解除することはできない。本実施形態のように被覆部４９とストッパー２９とを併用すると、プローブ１７を人為的に後退させることはより困難になるため好適である。
【００４３】
既述のとおり、プローブ１７の後ろ向き水平部１７ｄには雄ねじが形成されており、図７〜８に示すように、プローブ１７の後ろ向き水平部１７ｄにギア状の第１ダイアル５０がねじ込まれている。また、プローブ１７の後ろ向き水平部１７ｄの後端には小径部１７ｅが形成されており、この小径部１７ｅが、安全装置の一環をなす中間部材５１に嵌まっている。第１ダイアル５０の後端は中間部材５１に当接している。
【００４４】
第１ダイアル５０には、本体カバー８の外側から人が指で回転操作できるギア状の第２ダイアル５２が噛み合っている。第２ダイアル５２は本体カバー８に設けた囲い部５３で囲われており、人が指で操作できるように、本体カバー８に設けた穴５４から部分的に露出している。第２ダイアル５２は囲い部５３に設けた支軸５２ａに回転自在で前後動不能に保持されている。なお、支軸５２ａを第２ダイアル５２一体に形成してもよい。
【００４５】
第１ダイアル５０はプローブ１７と一種に前後移動するが、前後移動しても第２ダイアル５２との噛み合い状態が保持されるように長い長さになっている。両ダイアル５０，５２の噛み合い状態を保持しつつプローブ１７が前後動することを許容する手段としては、第１ダイアル５０の長さを短くして第２ダイアル５２の長さを長くすることも可能である。また、囲い部５３を本体カバー８とは別部材に製造して、これを本体カバー８に溶接やねじ止めで固着しても良い。また、プローブ１７は、後ろ向き水平部１７ｄと他の部分とを別々の部材で構成することも可能である。
【００４６】
第２ダイアル５２を回転させると第１ダイアル５０が逆方向に回転し、プローブ１７が前後いずれかの方向に移動する。他方、ロッド７の前後動ストロークと中間部材５１の前後動ストロークは一定であるため、ダイアル５０，５２が回転して中間部材５１に対するプローブ１７の前後位置が変わると、前進し切った状態でのロッド７の先端とノーズ１８の先端との相対的な前後位置が変化し、これにより、釘ｎの打ち込み深さが変わる。
【００４７】
そして、打ち込み深さ調節機構を構成する第１ダイアル５０は本体カバー８の囲い部５３で覆われているため、囲い部５３の穴５４から第１ダイアル５０を押すことはできず、このため、打ち込み深さ調節機構の部材を操作してロックを解除することはできない。また、第２ダイアル５２を押してロックを解除することはできないため、第２ダイアル５２は人が回転操作しやすいように露出面積を大きくすることができ、このため、打ち込み深さの調節を楽に行うことができる。なお、第１ダイアル５０と第２ダイアル５２との間にアイドルダイアルを介在させることも可能である。
【００４８】
本実施形態では、本体カバー８、下ブロック１２、上蓋１３、シュラウド部１２ａ，１３ａが請求項に記載した防護手段を構成している。
【００４９】
(4).他の実施形態
図１０では第２実施形態を示している。（Ａ）は要部の縦断側面図、（Ｂ）は（Ａ）のＢ−Ｂ視断面図である。この実施形態では、ヘッド部３は、ファスナー及びロッドが通る円筒状のインナーガイド５５とこれをスライド自在に保持するアウターガイド５６とを備えており、かつ、インナーガイド５５がプローブを兼用しており、インナーガイド５５が後退すると中間部材が押される。
【００５０】
そして、インナーガイド５５に打ち込み深さ調節用の調節筒５７を外側からねじ込み、調節筒５７に形成した溝状のギア部に第１ダイアル５０の大径ギア部５０ａを噛み合わせることにより、第１ダイアル５０が回転しつつインナーガイド５５と一緒に前後移動することを許容し、かつ、第１ダイアル５０に第２ダイアル５２を噛み合わせている。そして、ダイアル５０，５２と調節筒５７とを防護手段としてのカバー５８で覆っている。
【００５１】
第１ダイアル５０はスライド軸５９に回転自在で前後スライド自在に嵌まっている。スライド軸５９及び第２ダイアル５２は図示しないブラケットを介してアウターガイド５６に取付けられている。また、インナーガイド５５は前後動のみして回転はしないように回り止め手段を介してアウターガイド５６に保持されている。
【００５２】
図１１では第３実施形態を示している。この実施形態の打ち込み工具は、固定式のブロック体６０にファスナー及びロッドが通る打ち出し穴６１が形成されているタイプであり、ブロック体６０の前部を筒状部６０ａに形成して、その外側にフロントプローブ６２を配置している。フロントプローブ６２は筒状部６０ａの上面に沿って後方に延びる足部６２ａを備えており、その後方には板状のリアプローブ６３が配置されている。
【００５３】
フロントプローブ６２とリアプローブ６３とは図示しない回り止め手段によって回転不能に保持されており、かつ、リアプローブ６３は中間部材と連結されている。そして、フロントプローブ６２の足部６２ａとリアプローブ６３の前部とにねじ軸６４，６５を同心に固定し、両ねじ軸６４，６５に１つの第１ダイアル５０をねじ込み、更に、第１ダイアル５０に第２ダイアル５２を噛み合わせている。この例では防護手段としてカバー５８を設けている。
【００５４】
この場合、フロントプローブ６２のねじ軸６４とリアプローブ６３のねじ軸６５とを、一方を右ねじとして他方を左ねじとしており、このため、第２ダイアル５２の回転操作によって第１ダイアル５０を回転させると両プローブ６２，６３は接近したり離反したりし、その結果、フロントプローブ６２の先端とロッドの先端との相対的な位置関係が変化して、ファスナーの打ち込み深さが調節される。
【００５５】
第２実施形態及び第３実施形態から容易に理解できるように、本願発明は上蓋を備えていないタイプの打ち込み工具にも容易に適用でき、また、プローブは板状等の様々の形態に設定できる。
【００５６】
(5).その他
本願発明は上記の実施形態の他にも様々に具体化できる。例えば、ダイアルは本体カバーとは異なるヘッド部専用のカバーで覆うことも可能である。更に、第２ダイアルを露出させる穴を塞ぐ開閉自在な補助カバーを設けることも可能である。ダイアルが振動等によって回転することを防止するための保持手段を設けることも可能である。ダイアルの噛合形態としては、一方のダイアルに突起を周方向に沿って多数形成し、他方のダイアルに、前記突起が嵌まる穴を周方向に沿って多数形成するといったことも可能である。
【００５７】
なお、本願発明者は特願２００５−１３８９８８号の発明者と同一である（居所が相違するのは転籍に伴うものである。）
【図面の簡単な説明】
【００５８】
【図１】第１実施形態を示す図で、(A) は要部の右側面図、(B) は左側面図である。
【図２】ヘッド部を構成する主要部材の分離斜視図である。
【図３】(A) はヘッド部の平面図、(B) (C) は上蓋の開閉構造を説明するための図である。
【図４】(A) は図３のIVA-IVA視断面図、(B) は釘の打ち込み状態でのヘッド部の縦断側面図である。
【図５】上蓋を省略した状態でのヘッド部の平面図である。
【図６】要部の右側面図である。
【図７】本体カバーを省略した状態での右側面図である。
【図８】図７の VIII-VIII視断面図である。
【図９】図７の IX-IX視断面図である。
【図１０】第２実施形態を示す図である。
【図１１】第３実施形態を示す図である。
【図１２】従来例の右側面図である。
【符号の説明】
【００５９】
１  本体
２  シリンダ
３  ヘッド部
５  トリガー
６  ピストン
７  ロッド
８  本体カバー
１２  下ブロック
１３  上蓋
１７  プローブ
１８  プローブの一部を構成するノーズ
１２ａ，１３ａ  シュラウド部
４９  被覆部
５０  第１ダイアル
５１  中間部材
５２  第２ダイアル
５４  カバーの穴
【図１】
2007061981.tif 000003
【図２】
2007061981.tif 000004
【図３】
2007061981.tif 000005
【図４】
2007061981.tif 000006
【図５】
2007061981.tif 000007
【図６】
2007061981.tif 000008
【図７】
2007061981.tif 000009
【図８】
2007061981.tif 000010
【図９】
2007061981.tif 000011
【図１０】
2007061981.tif 000012
【図１１】
2007061981.tif 000013
【図１２】
2007061981.tif 000014